(57)【要約】【課題】ＨＤＤヘッドへの振動の伝播の低減方法を提供する。【解決手段】ハードディスク駆動装置（ＨＤＤ）のヘッドに伝播される共振振動などの振動を低減するための手法を記載する。ハードディスク駆動装置は、磁気ヘッドを含むリードサスペンションを備え得る。磁気ヘッドを複数のリードによってリードサスペンションに接続し得る。はんだボール接合部などの複数のリード各々の一部分は、リードサスペンションに発生する振動を吸収して磁気ヘッドへの振動の伝達を防止するように設計された減衰材で覆われ得る。あるいは、減衰材を、磁気ヘッドに振動を伝達することがあるリミッター係合部などの他の場所に適用する。【選択図】図１
2011076700.tif 000002
【特許請求の範囲】
【請求項１】
磁気ヘッドと、
スピンドル上に回転自在に搭載された磁気記録ディスクと、
前記磁気記録ディスクを回転させる前記スピンドルに取り付けられたモータ軸を有する駆動モータと、
前記磁気記録ディスクの一部分にアクセスするために前記磁気ヘッドを動かすように構成されたボイスコイルモータと、
前記磁気ヘッドを含むリードサスペンションであって、前記磁気ヘッドは複数のリードにより前記リードサスペンションに接続され、複数のリード各々の一部分が減衰材によって覆われているリードサスペンションと、
を含むハードディスク駆動装置。
【請求項２】
前記リードサスペンションが組み込みリードサスペンションである請求項１に記載のハードディスク駆動装置。
【請求項３】
前記リードサスペンションが回路一体型サスペンションである請求項１に記載のハードディスク駆動装置。
【請求項４】
前記リードサスペンションがフレックスオンサスペンションである請求項１に記載のハードディスク駆動装置。
【請求項５】
前記減衰材で覆われた前記複数のリード各々の一部分が、前記複数のリード各々のはんだボール接合部である請求項１に記載のハードディスク駆動装置。
【請求項６】
前記減衰材が粘弾性ポリマーである請求項１に記載のハードディスク駆動装置。
【請求項７】
前記減衰材が粘性液体である請求項１に記載のハードディスク駆動装置。
【請求項８】
前記減衰材が接着剤である請求項１に記載のハードディスク駆動装置。
【請求項９】
前記減衰材が、前記減衰材が備えるガス放出特性に基づいて選択される請求項１に記載のハードディスク駆動装置。
【請求項１０】
磁気ヘッドと、
スピンドル上に回転自在に搭載された磁気記録ディスクと、
前記磁気記録ディスクを回転させる前記スピンドルに取り付けられたモータ軸を有する駆動モータと、
前記磁気記録ディスクの一部分にアクセスするために前記磁気ヘッドを動かすように構成されたボイスコイルモータと、
リードサスペンションと前記磁気ヘッドとを接続する伝達領域であって、前記伝達領域の一部分が減衰材で覆われている伝達領域と、
を含むハードディスク駆動装置。
【請求項１１】
前記伝達領域がリミッター係合部である請求項１０に記載のハードディスク駆動装置。
【請求項１２】
前記伝達領域が前記磁気ヘッドの後縁部における複数のはんだボール接合部であり、および前記複数のはんだボール接合部が、複数の薄膜コネクタを前記リードサスペンションに接続する請求項１０に記載のハードディスク駆動装置。
【請求項１３】
前記減衰材が粘弾性ポリマーである請求項１０に記載のハードディスク駆動装置。
【請求項１４】
前記減衰材が粘性液体である請求項１０に記載のハードディスク駆動装置。
【請求項１５】
前記減衰材が接着剤である請求項１０に記載のハードディスク駆動装置。
【請求項１６】
前記減衰材が、前記減衰材が備えるガス放出特性に基づいて選択される請求項１０に記載のハードディスク駆動装置。
【請求項１７】
前記リードサスペンションが組み込みリードサスペンションである請求項１０に記載のハードディスク駆動装置。
【請求項１８】
前記リードサスペンションが回路一体型サスペンションである請求項１０に記載のハードディスク駆動装置。
【請求項１９】
前記リードサスペンションがフレックスオンサスペンションである請求項１０に記載のハードディスク駆動装置。
【発明の詳細な説明】
【技術分野】
【０００１】
本発明の実施形態は、一般的に、ハードディスク駆動装置（ＨＤＤ）のヘッドへの振動の伝播を低減させることに関する。
【背景技術】
【０００２】
ハードディスク駆動装置（ＨＤＤ）は、磁気面を有する１つまたは複数のディスク（ディスクはプラッタとも称することがある）上に、デジタル的に符号化されたデータを格納する不揮発性記憶装置であり、保護筐体内に収容される。ＨＤＤの作動中、各磁気記録ディスクはスピンドルシステムにより急速に回転される。アクチュエータによりディスクの特定場所の上方に位置決めされた読み取り／書き込みヘッド（「磁気ヘッド」ともいう。）を使用することにより、データは磁気記録ディスクから読み取られ、それに書き込まれる。
【０００３】
読み取り／書き込みヘッドは、磁気記録ディスクの表面からデータを読み取るおよびそれに書き込むために磁場を利用する。磁気双極子磁場は磁極からの距離とともに急速に低下するので、読み取り／書き込みヘッドと磁気記録ディスクの表面との間の空間は厳重に制御されなければならない。読み取り／書き込みヘッドと磁気記録ディスクの表面との間の一様な距離を設けるために、アクチュエータは、磁気記録ディスクの回転中、読み取り／書き込みヘッドを磁気記録ディスクの表面から離れた適切な距離で支持するハードディスク駆動装置筐体内の空気圧に依存する。したがって読み取り／書き込みヘッドは磁気記録ディスクの表面の上方を「飛行」すると言われる。すなわち、磁気記録ディスクを回転することに伴って引っ張られる空気がヘッドを磁気記録ディスクの表面から離れさせる。磁気記録ディスクが回転を停止すると、読み取り／書き込みヘッドは「着陸」しなければならないかあるいは引き離されなければならない。
【０００４】
ＨＤＤの書き込みヘッドは一連の同心トラックの磁気記録ディスクの表面上へデータを記録する。書き込みヘッドが磁気記録ディスクの所望トラックにデータを書き込む場合、書き込みヘッドは所望トラックの近くに位置付けられることが重要であり、そのようにしないと結果としてスクィーズ事象（ｓｑｕｅｅｚｅ  ｅｖｅｎｔ）が発生する。これはデータの完全性およびスループットを危険にさらし、極端な場合にはハードエラーとデータ損失をもたらすことがある。隣接トラックが読み取りヘッドにより正しく読み取られるのに十分なだけ離されないほどに隣接トラックにあまりに近くにまたはそれと重なって書き込みヘッドがデータを書き込むと、スクィーズ事象は発生する。
【０００５】
基準マーカを磁気記録ディスクの各トラック内に記録することができる。これらの基準マーカはサーボ情報と呼ばれる。読み取り／書き込みヘッドを正しく位置決めするのを支援するために、ＨＤＤは磁気記録ディスク上に格納されたサーボ情報を使用することにより書き込みヘッドを正しい位置に維持するようにサーボ機械制御ループを採用する。読み取り／書き込みヘッドがサーボ情報（読み取られるサーボ情報は位置誤差信号すなわちＰＥＳ（ｐｏｓｉｔｉｏｎ−ｅｒｒｏｒ  ｓｉｇｎａｌ）と呼ばれることがある）を読み取る場合、読み取り／書き込みヘッドの相対位置は、所望トラックに対する読み取り／書き込みヘッドの位置が必要に応じて調整されるようにするサーボプロセッサにより決定されてよい。
【０００６】
種々の理由で、読み取り／書き込みヘッドと、磁気記録ディスクの表面との間の距離を一定にまたはほぼ一定に維持して、読み取り／書き込みヘッドの適切な動作を保証することが望ましい。読み取り／書き込みヘッドと磁気記録ディスクの表面との間の距離が変動する場合、読み取り／書き込みヘッドと磁気記録ディスクの表面との間の磁気双極子場の強さも変動し、磁気記録ディスクに対するデータの読み取りまたはデータの書き込みに問題を生じ得る。また、読み取り／書き込みヘッドが磁気記録媒体の表面に接触する場合、読み取り／書き込みヘッドはプラッタの表面をこする可能性があり、それにより、磁気記録媒体の表面上の磁性薄膜をすり減らし、それゆえデータ損失および将来的にＨＤＤを動作不能にする原因となる場合がある。
【発明の概要】
【発明が解決しようとする課題】
【０００７】
ハードディスク駆動装置（ＨＤＤ）のリードサスペンションにおける振動が磁気ヘッドまで伝播することが観察されている。リードサスペンションは、ＨＤＤが機械的衝撃を受けること、ＨＤＤ内で循環する空気流、および共振振動などの様々な理由により振動し始める。
【課題を解決するための手段】
【０００８】
本明細書には、ＨＤＤなどの持続的な記憶媒体の磁気ヘッドへの振動の伝播を低減する手法を記載する。ＨＤＤは、磁気ヘッドを含むリードサスペンションを備え得る。磁気ヘッドを複数のリードによってリードサスペンションに接続する。はんだボール接合部などの複数のリード各々の一部分を、リードサスペンションに発生する振動を吸収して磁気ヘッドへの振動の伝達を防止するように設計された減衰材で覆い得る。あるいは、減衰材を、磁気ヘッドへ振動を伝達することがあるリミッター係合部などの他の場所に適用し得る。このようにして、減衰材はリードサスペンションから磁気ヘッドへの振動の伝播を低減または排除する。
【０００９】
本発明の概要セクションにおいて説明した実施形態は、本明細書で説明する全ての実施形態を提案、説明、または教示することを意味するものではない。それゆえ、本発明の実施形態は、このセクションで説明した特徴以外の追加的なまたは異なる特徴を含み得る。
【００１０】
本発明の実施形態は、添付図面において限定としてではなく一例として示され、図面中の同じ参照符号は同様な要素を指す。
【発明の効果】
【００１１】
本発明によれば、磁気ヘッドへの振動の伝播の低減が可能となる。
【図面の簡単な説明】
【００１２】
【図１】本発明の一実施形態によるＨＤＤの平面図である。
【図２】本発明の一実施形態によるヘッドアームアセンブリ（ＨＡＡ）の平面図である。
【図３Ａ】共振振動によるヘッドの変調を示すグラフである。
【図３Ｂ】図３Ａに示す歪みの周波数のプロット（ＦＦＴ）を示すグラフである。
【図４】本発明の一実施形態によるハードディスク駆動装置（ＨＤＤ）のヘッドへの振動の伝播を低減する高レベルの機能ステップを示すフロー図である。
【図５Ａ】本発明の一実施形態による減衰材がそれぞれ適用された複数のはんだボール接合部の第１の図である。
【図５Ｂ】本発明の一実施形態による減衰材がそれぞれ適用された複数のはんだボール接合部の第１の図である。
【図６Ａ】公知の従来技術による、リードサスペンションが４ｋＨｚで振動するときの共振振動に起因するヘッドの歪みを示すグラフである。
【図６Ｂ】本発明の一実施形態による、減衰材が、ヘッドの後縁部においてリードサスペンションを薄膜コネクタに接続する各はんだボール接合部に適用された後のヘッドの歪みの除去を示すグラフである。
【図７】本発明の一実施形態による、減衰材が適用されたリミッター係合部の図である。
【発明を実施するための形態】
【００１３】
ハードディスク駆動装置（ＨＤＤ）のヘッドへの振動の伝播を低減させる手法を説明する。以下の説明では、例示のため、本明細書に記載する本発明の実施形態を完全に理解できるように多くの特定な詳細を記載する。しかしながら、本明細書に記載する本発明の実施形態はこれらの特定な詳細なしに実行することができることは明らかであろう。他の事例では、本明細書に記載する本発明の実施形態を不必要に曖昧にしないために、よく知られた構造および装置がブロック線図の形式で示される。
【００１４】
［本発明の例示的な実施形態の物理的説明］
本発明の実施形態を、様々な記憶媒体を使用して実施し得る。例えば、本発明の実施形態を、ハードディスク駆動装置（ＨＤＤ）などの磁気記録記憶媒体を使用して実施し得る。本発明の一実施形態による図１を参照すると、ＨＤＤ１００を平面図で示している。図１に、磁気ヘッド１１０ａ（以下、単に「ヘッド」という。また「読み取り／書き込みヘッド」ともいう。）を含むスライダ１１０ｂを含むＨＤＤの構成部品の機能的な配置を示す。ＨＤＤ１００は、ヘッド１１０ａと、ヘッド１１０ａに取り付けられたリードサスペンション１１０ｃと、スライダ１１０ｂに取り付けられたロードビーム１１０ｄ（スライダ１１０ｂの遠端部でヘッド１１０ａを含む）とを含む少なくとも１つのＨＧＡ１１０を含み；スライダ１１０ｂは、ロードビーム１１０ｄの遠端部でロードビーム１１０ｄのジンバル部に取り付けられる。ＨＤＤ１００はまた、スピンドル１２４上に回転自在に搭載された少なくとも１つの磁気記録ディスク１２０（以下、単に「ディスク」という。）と、ディスク１２０を回転させるためのスピンドル１２４に取り付けられた駆動モータ（図示せず）とを含む。ヘッド１１０ａは、ＨＤＤ１００のディスク１２０上に格納される情報をそれぞれ書き込み、そしてそれを読み出すための書き込み素子（いわゆるライター）と、読み取り素子（いわゆるリーダー）とを含む。ディスククランプ１２８によりディスク１２０または複数のディスク（図示せず）をスピンドル１２４に固定することができる。ＨＤＤ１００はさらに、ＨＧＡ１１０に取り付けられたアーム１３２と、キャリッジ１３４と、キャリッジ１３４に取り付けられたボイスコイル１４０を含む電機子１３６を含むボイスコイルモータ（ＶＣＭ）と；ボイスコイル磁石（図示せず）を含む固定子１４４とを含む；ＶＣＭの電機子１３６はキャリッジ１３４に取り付けられ、かつ、ピボット軸１４８上に搭載されたディスク１２０のアクセス部分へ、挿入ピボット軸受アセンブリ１５２によりアーム１３２およびＨＧＡ１１０を動かすように構成される。
【００１５】
本発明の一実施形態による図１をさらに参照すると、電気信号（例えば、ＶＣＭのボイスコイル１４０への電流、ヘッド（一般にＰＭＲ）１１０ａに対する書き込み信号と読み取り信号）はフレキシブルケーブル１５６により与えられる。フレキシブルケーブル１５６とヘッド１１０ａとの間の配線は、読み取りチャネル電子部品および書き込みチャネル電子部品だけでなく読み取り信号用内蔵前置増幅器も有することができるアーム電子回路（ＡＥ：ａｒｍ−ｅｌｅｃｔｒｏｎｉｃｓ）モジュール１６０により設けられてよい。フレキシブルケーブル１５６は、ＨＤＤ筐体１６８により設けられた電気的フィードスルー（図示せず）を介して電気通信を提供する電気的コネクタブロック１６４に結合される。キャスティングとも称するＨＤＤ筐体１６８は、ＨＤＤ筐体が成型されるどうかに依存するが、ＨＤＤカバー（図示せず）と共に、ＨＤＤ１００の情報記憶部品のための密閉保護筐体を提供する。
【００１６】
本発明の一実施形態による図１をさらに参照すると、ディスクコントローラと、デジタル信号プロセッサ（ＤＳＰ）を含むサーボ電子回路とを含む他の電子部品（図示せず）は、電気信号を駆動モータ、ＶＣＭのボイスコイル１４０、およびＨＧＡ１１０のヘッド１１０ａに供給する。駆動モータに供給される電気信号は、駆動モータが回転してスピンドル１２４にトルクを与えることができるようにする。トルクは、ディスククランプ１２８によりスピンドル１２４に固定されたディスク１２０に伝達され、その結果、ディスク１２０は方向１７２に回転する。情報が記録されるディスク１２０の薄い磁気記録媒体に接触することなくディスク１２０の表面の上方でスライダ１１０ｂが飛行するように、ディスク１２０は、スライダ１１０ｂの空気軸受面（ＡＢＳ：ａｉｒ−ｂｅａｒｉｎｇ  ｓｕｒｆａｃｅ）が乗る空気軸受として働く空気のクッションを生成する。ＶＣＭのボイスコイル１４０に供給される電気信号は、情報が記録されるトラック１７６にＨＧＡ１１０のヘッド１１０ａがアクセスできるようにする。こうして、ＶＣＭの電機子１３６は、アーム１３２により電機子１３６に取り付けられたＨＧＡ１１０がディスク１２０上の様々なトラックにアクセスできるようにする弧１８０にわたって振れる。情報は、ディスク１２０上のセクター（例えば、セクター１８４）内に配置された複数の同心トラック（図示せず）のディスク１２０上に格納される。したがって各トラックは複数のセクター化トラック部、例えばセクター化トラック部１８８で構成される。各セクター化トラック部１８８は、記録データと、サーボバースト信号パターン（例えばＡＢＣＤサーボバースト信号パターン）、トラック１７６を特定する情報、およびエラー訂正コード情報を含むヘッダーとで構成される。トラック１７６にアクセスする際、ＨＧＡ１１０のヘッド１１０ａの読み取り素子は、位置誤差信号（ＰＥＳ：ｐｏｓｉｔｉｏｎ−ｅｒｒｏｒ−ｓｉｇｎａｌ）をサーボ電子回路に与えるサーボバースト信号パターンを読み取る。サーボ電子回路は、ＶＣＭのボイスコイル１４０に供給される電気信号を制御して、ヘッド１１０ａがトラック１７６に追従できるようにする。トラック１７６を発見して特定のセクター化トラック部１８８を特定すると、ヘッド１１０ａは、ディスクコントローラにより外部エージェント（例えば、コンピュータシステムのマイクロプロセッサ）から受信された命令に依存してトラック１７６からデータを読み出すかあるいはトラック１７６にデータを書き込む。
【００１７】
本発明の実施形態はまた、ＨＧＡ１１０と、スピンドル１２４上に回転自在に搭載されたディスク１２０と、ヘッド１１０ａを含むスライダ１１０ｂを含むＨＧＡ１１０に取り付けられたアーム１３２とを含むＨＤＤ１００を包含する。
【００１８】
ここで本発明の一実施形態による図２を参照すると、ＨＧＡ１１０を含むヘッドアームアセンブリ（ＨＡＡ）を平面図で示している。図２は、ＨＧＡ１１０に対するＨＡＡの機能的な配置を示す。ＨＡＡは、アーム１３２と、ヘッド１１０ａを含むスライダ１１０ｂを含むＨＧＡ１１０とを含む。ＨＡＡは、アーム１３２でキャリッジ１３４に取り付けられる。複数ディスクまたはプラッタ（当該技術分野では時にディスクはプラッタと呼ばれる）を有するＨＤＤの場合、キャリッジ１３４は、櫛の外観を呈するアームの連動アレイ（ｇａｎｇｅｄ  ａｒｒａｙ  ｏｆ  ａｒｍｓ）を保持するように配置されるので「Ｅブロック」または櫛と呼ばれる。図２に示すように、ＶＣＭの電機子１３６をキャリッジ１３４に取り付け、ボイスコイル１４０を電機子１３６に取り付ける。図示のようにＡＥ１６０をキャリッジ１３４に取り付けてもよい。キャリッジ１３４は挿入ピボット軸受アセンブリ１５２によりピボット軸１４８に搭載される。
【００１９】
本発明の実施形態を、フレキシブルディスク基板を使用して実行することができるため、本発明の実施形態は、剛性の磁気ディスクや磁気記録媒体を使用する記憶装置に限定されず、または、例えば強誘電体または相変化を含む記録媒体に限定されるものではないことに留意されたい。
【００２０】
本発明の例示的な実施形態の物理的説明を説明してきたが、以下、どのようにして振動が発生しかつ読み取り／書き込みヘッドに伝播し得るかについて説明する。
【００２１】
［どのようにして振動が読み取り／書き込みヘッドに伝播しかつそれにより問題が発生し得るか］
リードサスペンション１１０ｃが振動する場合、ヘッド１１０ａがリードサスペンション１１０ｃに物理的に接続されているため、これらの振動はヘッド１１０ａへ伝達され得る。振動は種々の理由で、リードサスペンション１１０ｃで発生し得る。例えば、リードサスペンション１１０ｃは共振振動し得る。共振は、一部の周波数において他の周波数よりも大きな振幅で発振する系の傾向を指す。図示すると、図３Ａは、共振振動によるヘッド１１０ａの変調を示すグラフ３００である。グラフ３００に示す読み取り／書き込みヘッドは高周波数歪みを受けている。グラフ３００に示すように、読み取り／書き込みヘッドは±２ナノメートル動き、これは、ＨＤＤ１００の動作に悪影響を及ぼすことがある。
【００２２】
図３Ｂは、グラフ３００に示した歪みの周波数のプロット（ＦＦＴ）を示すグラフ３５０である。グラフ３５０に示すように、振動の臨界範囲は３３〜３９ｋＨｚである。リードサスペンション１１０ｃが３３〜３９ｋＨｚで振動していると、リードサスペンション１１０ｃは、３３〜３９ｋＨｚ以外の周波数で振動しているときよりもより大きく歪む。本発明の実施形態を用いずに、リードサスペンション１１０ｃが３３〜３９ｋＨｚの周波数で振動するときにリードサスペンション１１０ｃに発生する歪みの結果としてヘッド１１０ａが受ける歪みは、ヘッド１１０ａが適切に読み取りも書き込みもできなくなり得るおよび／またはディスクの表面に物理的に接触し得るため、許容できない量のエラー状態を生じ得る。
【００２３】
加えて、ＨＤＤ１００がガタガタすると、リードサスペンション１１０ｃは機械的衝撃により発振または振動する。プラッタの回転に起因してＨＤＤ１００の筐体内を循環している空気流がまた、リードサスペンション１１０ｃの振動を誘発し得る。
【００２４】
振動は、リードサスペンション１１０ｃとヘッド１１０ａとの物理的な接触のあるいずれの箇所でもリードサスペンション１１０ｃからヘッド１１０ａへ伝播し得る。一実施形態では、リードサスペンション１１０ｃからヘッド１１０ａへの振動の伝播の主な伝達領域は、ヘッド１１０ａの後縁部におけるリードサスペンション１１０ｃのはんだリード接続部から薄膜コネクタまでである。リードサスペンション１１０ｃからヘッド１１０ａへ振動を伝播する可能性のある別の伝達領域は、リミッター係合部である。図７に示すようにリミッターは、ジンバルアセンブリがサスペンションアセンブリから離れないようにするための機械的なストッパである。
【００２５】
振動がリードサスペンション１１０ｃからヘッド１１０ａへ伝播することは望ましくない。ヘッド１１０ａが振動している場合、動作エラー（その一部は壊滅的であり回復不能となり得る）が発生し得る。ヘッド１１０ａが振動している場合、ヘッド１１０ａとディスクの表面との間の磁気双極子場の強さが変動し、それは、ディスクに対してデータを読み取ったりデータを書き込んだりするのに問題を発生させ得る。また、ヘッド１１０ａが磁気記録媒体の表面に接触する場合、ヘッド１１０ａが、ディスクの表面をこすることがあり、それは、ディスクの表面上の磁性薄膜をすり減らし、スクラッチ、凹みおよび磨損の原因となり、それゆえデータ損失および将来的にＨＤＤを動作不能にする原因となる場合がある。
【００２６】
さらに、ヘッド１１０ａが振動している場合、ヘッド１１０ａがディスク上の適切なトラックに対してデータを読み取ったりデータを書き込んだりすることが難しい可能性がある。ヘッド１１０ａは、ランプにヘッド１１０ａを載せる、ランプからヘッド１１０ａを降ろす、およびトラックをシーキングするなどの高応力条件では特に振動の影響を受けやすい。空気軸受がヘッド１１０ａに確立される前に、ヘッド１１０ａが、ヘッド１１０ａを振動させる原因となる共振振動を拾う場合、ヘッド１１０ａはディスクと衝突し、その結果、ディスク、およびディスクが以前に記録したあらゆる情報を破壊する。
【００２７】
ヘッド１１０ａはまた、ヘッド１１０ａが単一のトラックをシーキングしているかまたはトラックからトラックへ移動しているときなどのＨＤＤ１００の通常動作中も振動し得る。通常動作においてヘッド１１０ａが単一のトラックをシーキングしているとき、横振動によってヘッド１１０ａが所望のトラックに正確に位置決めされず、それにより、ヘッド１１０ａが所望のトラックを読み取ったり所望のトラックに書き込んだりすることができなくなり、トラック毎の不整合および位置誤差の原因となり得る。また、ヘッド１１０ａがトラックからトラックへ移動するときのＨＤＤ１００の通常動作中の振動は、飛行高さを不安定にする原因となり得る。
【００２８】
従って、本発明の実施形態には、リードサスペンションからヘッドへの、共振振動（これに限定されるわけではない）などの振動の伝播を低減または排除するメカニズムを提供することによって、従来技術の手法よりも優れた利点がある。
【００２９】
［ＨＤＤヘッドへ伝播する振動の低減］
図４は、本発明の一実施形態によるハードディスク駆動装置（ＨＤＤ）のヘッドへの振動の伝播を低減させる高レベルの機能ステップを示すフロー図である。本発明の実施形態を用いることによって、リードサスペンション１１０ｃからヘッド１１０ａへ伝播される振動の回数および大きさを低減できることが好都合である。それゆえ、本発明の一実施形態を使用することによって、図３Ｂのグラフ３５０に示す読み取り／書き込みヘッドは、本発明の実施形態がリードサスペンション１１０ｃからヘッド１１０ａへの振動の伝播を減衰させ、低減させ、または排除してヘッド１１０ａが適切に機能できるようにするため、３３〜３９ｋＨｚの振動範囲において振動するリードサスペンション１１０ｃで動作し得る。
【００３０】
ステップ４１０では、適切な減衰材を選択する。ステップ４１０において選択した減衰材を適切な位置に適用して、リードサスペンション１１０ｃからヘッド１１０ａへの振動の伝播を低減または排除する。ステップ４１０において選択した減衰材を、リードサスペンション１１０ｃに発生する振動を吸収でき、振動をヘッド１１０ａへ伝達させないいずれかの材料とし得る。ステップ４１０において用いることができる減衰材の非限定的で例示的な例としては、粘弾性ポリマー、粘性液体、エポキシ樹脂、および接着剤が挙げられる。
【００３１】
一実施形態では、ステップ４１０において選択される特定の減衰材を、減衰材が備えるガス放出特性に基づいて選択し得る。材料のガス放出特性は、材料によって放出されたかまたは生成された汚染物の種類および量に関連する。新しいハードディスク駆動装置（ＨＤＤ）を構築する場合、ガス放出特性の低い材料の組み合わせを選択して、ＨＤＤ１００の内部に導入される全ての汚染物を最小限にするかまたは防止することが望ましい。
【００３２】
特定の減衰材を、使用するために選択した後、ステップ４２０において、減衰材を適切な位置に適用してヘッド１１０ａへの振動の伝播を防ぐようにする。ステップ４２０では、一実施形態において、ステップ４２０において減衰材が適用される適切な位置（伝達領域と称す）は、ヘッド１１０ａが伝達領域において発生源に物理的に接続されているために、発生源からヘッド１１０ａへ、共振振動などの振動を伝播することが可能な位置である。
【００３３】
例えば、リードサスペンション１１０ｃは、ヘッド１１０ａへ伝播される振動の発生源であり得る。本発明の実施形態を用いて、様々なタイプのリードサスペンションからの振動の伝播を防止する。図示すると、一実施形態において、リードサスペンション１１０ｃを電気的なリードサスペンション、または具体的には、組み込みリードサスペンション（ＩＬＳ：ｉｎｔｅｇｒａｔｅｄ  ｌｅａｄ  ｓｕｓｐｅｎｓｉｏｎ）、回路一体型サスペンション（ＣＩＳ：ｃｉｒｃｕｉｔ  ｉｎｔｅｇｒａｔｅｄ  ｓｕｓｐｅｎｓｉｏｎ）、またはフレックスオンサスペンション（ＦＯＳ：ｆｌｅｘ−ｏｎ  ｓｕｓｐｅｎｓｉｏｎ）とし得る。フレックスオンサスペンションは、アーム電子回路（ＡＥ）モジュール１６０から磁気ヘッドへの電子接続を行うために、堅固で可撓性の基板上のポリマーにワイヤを埋め込む技術に関して、当該技術分野においては一般的な用語である。
【００３４】
一実施形態では、減衰材が適用される位置はリードサスペンションの各リードのはんだボール接合部である。リードは、ヘッド１１０ａの薄膜素子に組み込み、かつ例えばデータの読み取り、データの書き込みを行う部品および加熱素子などのヘッド１１０ａの電機部品に結合し得る。本発明の実施形態は異なる数のリードを有し得ることに留意されたい。例えば、現在のところ８個のリードが一般的であるが、以前は６個のリードが使用されており、将来的には１０個のリードを使用する可能性がある。それゆえ、一実施形態では、減衰材を、ステップ４２０においていずれの数のリードのはんだボール接合部にも適用する。
【００３５】
図５Ａおよび図５Ｂは、それぞれ本発明の一実施形態により減衰材が適用された複数のはんだボール接合部の図５００および５５０である。図５Ａおよび図５Ｂに示すように、一実施形態では、減衰材を、ヘッドの後縁部においてリードサスペンションを薄膜コネクタに接続する各はんだボール接合部に適用する。そのような実施形態では、減衰材を各はんだボール接合部に適用する。
【００３６】
減衰材をはんだボール接合部に適用する効果の程度を示すために、図６Ａおよび図６Ｂを検討する。図６Ａは、公知の従来技術によるリードサスペンション１１０ｃが４ｋＨｚで振動するときの共振振動に起因するヘッド１１０ａの歪みを示すグラフである。図６Ａに示すように、ヘッドは、４ｋＨｚで望ましくない量の振動を受ける。図６Ｂは、ヘッド１１０ａの後縁部においてリードサスペンションを薄膜コネクタに接続する各はんだボール接合部に減衰材が適用された後の、ヘッド１１０ａの歪みの除去を示すグラフである。
【００３７】
減衰材を、リードサスペンション１１０ｃとヘッド１１０ａとを物理的に接続するいずれかの位置に適用し得る。図示すると、図７は、本発明の一実施形態に従って減衰材が適用されたリミッター係合部の図である。特定の本発明の実施形態では、リミッター係合部と、ヘッドの後縁部においてリードサスペンションを薄膜コネクタに接続する各はんだボール接合部との双方に減衰材を適用するなど、減衰材を複数の位置に適用することができる。
【００３８】
本発明の実施形態は、ヘッド１１０ａへの振動の伝播を排除または低減することができることが好都合である。質量体またはヘッドおよびヘッドの飛行特性が、減衰材がスライダに適用される場合にあるように、変更されないことが望ましい。また、リードサスペンション１１０ｃとヘッド１１０ａとを物理的に接続する位置に減衰材を適用することによって、減衰材がスライダに適用された場合よりも振動がヘッド１１０ａに伝播しないことがより確実になる。
【００３９】
上述の明細書では、本発明の実施形態は、実施形態毎に変化し得る多数の特定の詳細を参照し説明された。したがって、本発明であり本出願者により発明であることを意図しているものの唯一の指標は、特許請求範囲が由来する特定の形式の本出願に由来する一組の特許請求範囲であって、いかなる以後の補正も含む。このような特許請求範囲に含まれる用語の本明細書において明示的に記載されたいかなる定義も、特許請求の範囲に使用されるような用語の意味を規定するものとする。したがって、請求項内で明示的に記述されない限界、要素、特性、特徴、利点、または属性が、このような請求項の範囲を決して制限してはならない。したがって本明細書と添付図面は限定的ではなく例示的であると解釈するべきである。
【符号の説明】
【００４０】
１００  ハードディスク駆動装置
１１０  ＨＧＡ
１１０ａ  磁気ヘッド
１１０ｂ  スライダ
１１０ｃ  リードサスペンション
１１０ｄ  ロードビーム
１２０  磁気記録ディスク
１２４  スピンドル
１２８  ディスククランプ
１３２  アーム
１３４  キャリッジ
１３６  電機子
１４０  ボイスコイル
１４４  固定子
１４８  ピボット軸
１５２  挿入ピボット軸受アセンブリ
１５６  フレキシブルケーブル
１６０  アーム電子回路モジュール
１６４  電気的コネクタブロック
１６８  ＨＤＤ筐体
１７６  トラック
１８４  セクター
１８８  セクター化トラック部
【図１】
2011076700.tif 000003
【図２】
2011076700.tif 000004
【図３Ａ】
2011076700.tif 000005
【図３Ｂ】
2011076700.tif 000006
【図４】
2011076700.tif 000007
【図５Ａ】
2011076700.tif 000008
【図５Ｂ】
2011076700.tif 000009
【図６Ａ】
2011076700.tif 000010
【図６Ｂ】
2011076700.tif 000011
【図７】
2011076700.tif 000012